(57)【特許請求の範囲】
【請求項１】
テレビジョン受信機の画面上の所定の位置にレーザ光を照射するレーザ発光手段と、
前記レーザ光の照射位置の近傍の所定の領域からの光を受光する受光手段と、
各種制御コマンドを送信するコマンド送信手段と、
前記コマンド送信手段に所定のコマンドの送信を指示する操作手段と、
前記操作手段が操作されてから前記受光手段が所定の領域からの光を受光するまでの時間を計測する時間計測手段と、
前記受光手段が所定の領域からの光を受光した際の受光強度を計測する強度計測手段と、
該計測された時間から前記所定の位置の垂直方向の位置を算出し、該計測された受光強度から前記所定の位置の水平方向の位置を算出する算出手段と、
を具備し、該算出された所定の位置を前記コマンド送信手段からテレビジョン受信機に送信することを特徴とするリモートコントロール装置。
【請求項２】
テレビジョン受信機の画面上の所定の位置にレーザ光を照射するレーザ発光手段と、
前記レーザ光の照射位置の近傍の所定の領域からの光を受光する受光手段と、
各種制御コマンドを送信するコマンド送信手段と、
前記コマンド送信手段に所定のコマンドの送信を指示する操作手段と、
前記操作手段が操作された後、前記レーザ発光手段からのレーザ光の照射を中止する消光手段と、
前記操作手段が操作されてから前記受光手段が所定の領域からの光を受光するまでの時間を計測する時間計測手段と、
前記受光手段が所定の領域からの光を受光した際の受光強度を計測する強度計測手段と、
該計測された時間から前記所定の位置の垂直方向の位置を算出し、該計測された受光強度から前記所定の位置の水平方向の位置を算出する算出手段と、
を具備し、該算出された所定の位置情報を前記コマンド送信手段からテレビジョン受信機に送信することを特徴とするリモートコントロール装置。
【請求項３】
請求項１または請求項２に記載されたリモートコントロール装置からの所定のコマンドを受信する受信手段と、
該コマンドに従って、所定の画面を表示する画面表示手段と、
前記リモートコントロール装置からの位置情報を前記受信手段で受信した後、その位置情報で示される画面上の位置に表示されている機能を特定する機能特定手段と、
該特定された機能を実行する実行手段と、
を具備することを特徴とするテレビジョン受信機。
【請求項４】
請求項１または請求項２に記載されたリモートコントロール装置からの所定のコマンドを受信する受信手段と、
該コマンドに従って、所定の画面を１フレーム期間または１フィールド期間のみ表示する画面表示手段と、
前記リモートコントロール装置からの位置情報を前記受信手段で受信した後、その位置情報で示される画面上の位置に表示されている機能を特定する機能特定手段と、
該特定された機能を実行する実行手段と、
を具備することを特徴とするテレビジョン受信機。
【請求項５】
請求項３または請求項４に記載のテレビジョン受信機において、
前記所定の画面は、全画面白の画面であることを特徴とするテレビジョン受信機。
【請求項６】
請求項３または請求項４に記載のテレビジョン受信機において、
前記所定の画面は、ランプ波形の画面であることを特徴とするテレビジョン受信機。
【請求項７】
テレビジョン受信機の画面上の所定の位置にレーザ光を照射するレーザ発光手段と、
前記レーザ光の照射位置の近傍の所定の領域からの光を受光する受光手段と、
各種制御コマンドを送信するコマンド送信手段と、
前記コマンド送信手段に所定のコマンドの送信を指示する操作手段と、
前記操作手段が操作されてから前記受光手段が所定の領域からの光を受光するまでの時間を計測する時間計測手段と、
前記受光手段が所定の領域からの光を受光した際の受光強度を計測する強度計測手段と、
該計測された時間から前記所定の位置の垂直方向の位置を算出し、該計測された受光強度から前記所定の位置の水平方向の位置を算出する算出手段と、
を具備し、該算出された所定の位置を前記コマンド送信手段からテレビジョン受信機に送信するリモートコントロール装置と、
該リモートコントロール装置からの所定のコマンドを受信する受信手段と、
該コマンドに従って、所定の画面を表示する画面表示手段と、
前記リモートコントロール装置からの位置情報を前記受信手段で受信した後、その位置情報で示される画面上の位置に表示されている機能を特定する機能特定手段と、
該特定された機能を実行する実行手段と、
を具備するテレビジョン受信機と、
から構成されることを特徴とするテレビジョン受信システム。
【請求項８】
テレビジョン受信機の画面上の所定の位置にレーザ光を照射するレーザ発光手段と、
前記レーザ光の照射位置の近傍の所定の領域からの光を受光する受光手段と、
各種制御コマンドを送信するコマンド送信手段と、
前記コマンド送信手段に所定のコマンドの送信を指示する操作手段と、
前記操作手段が操作された後、前記レーザ発光手段からのレーザ光の照射を中止する消光手段と、
前記操作手段が操作されてから前記受光手段が所定の領域からの光を受光するまでの時間を計測する時間計測手段と、
前記受光手段が所定の領域からの光を受光した際の受光強度を計測する強度計測手段と、
該計測された時間から前記所定の位置の垂直方向の位置を算出し、該計測された受光強度から前記所定の位置の水平方向の位置を算出する算出手段と、
を具備し、該算出された所定の位置情報を前記コマンド送信手段からテレビジョン受信機に送信するリモートコントロール装置と、
該リモートコントロール装置からの所定のコマンドを受信する受信手段と、
該コマンドに従って、所定の画面を表示する画面表示手段と、
前記リモートコントロール装置からの位置情報を前記受信手段で受信した後、その位置情報で示される画面上の位置に表示されている機能を特定する機能特定手段と、
該特定された機能を実行する実行手段と、
を具備するテレビジョン受信機と、
から構成されることを特徴とするテレビジョン受信システム。
【請求項９】
請求項７または請求項８に記載されたテレビジョン受信システムにおいて、前記所定の画面は１フレーム期間または１フィールド期間のみ表示されることを特徴とするテレビジョン受信システム。
【請求項１０】
テレビジョン受信機の画面上の所定の位置にレーザ光を照射し、
前記レーザ光の照射位置の近傍の所定の領域からの光を受光し、
前記テレビジョン受信機に所定のコマンドを送信し、
前記コマンドの送信時から前記受光手段が所定の領域からの光を受光するまでの時間および受光した光の強度を計測し、
該計測された時間から垂直方向の位置を算出し、該計測された強度から水平方向の位置を算出し、
該算出された所定の位置をテレビジョン受信機に送信することを特徴とするリモートコントロール装置の制御方法。
【請求項１１】
テレビジョン受信機の画面上の所定の位置にレーザ光を照射し、
前記レーザ光の照射位置の近傍の所定の領域からの光を受光し、
前記テレビジョン受信機に所定のコマンドを送信し、
前記コマンドの送信と同時または送信の直後に前記レーザ光の照射を中止し、
前記コマンドの送信時から前記受光手段が所定の領域からの光を受光するまでの時間および受光した光の強度を計測し、
該計測された時間から垂直方向の位置を算出し、該計測された強度から水平方向の位置を算出し、
該算出された所定の位置をテレビジョン受信機に送信することを特徴とするリモートコントロール装置の制御方法。
【請求項１２】
請求項１又は請求項２に記載されたリモートコントロール装置からの所定のコマンドに従って、所定の画面を表示し、
前記リモートコントロール装置からの位置情報から画面上の位置に表示されている機能を特定し、
該特定された機能を実行する、
ことを特徴とするテレビジョン受信機の制御方法。
【請求項１３】
請求項１または請求項２に記載されたリモートコントロール装置からの所定のコマンドに従って、所定の画面を１フレーム期間または１フィールド期間のみ表示し、
前記リモートコントロール装置からの位置情報から画面上の位置に表示されている機能を特定し、
該特定された機能を実行する、
ことを特徴とするテレビジョン受信機の制御方法。
【請求項１４】
請求項１２または請求項１３に記載のテレビジョン受信機の制御方法において、
前記所定の画面は、全画面白の画面であることを特徴とするテレビジョン受信機の制御方法。
【請求項１５】
請求項１２または請求項１３に記載のテレビジョン受信機の制御方法において、
前記所定の画面は、ランプ波形の画面であることを特徴とするテレビジョン受信機の制御方法。
【請求項１６】
リモートコントロール装置によりテレビジョン受信機の画面上の所定の位置にレーザ光を照射し、
この照射されたレーザ光の画面上の位置をポインタとして、
このポインタにより画面上に表示された所定の画像の所望の表示部分を選択し、
前記リモートコントロール装置で、この選択を決定した旨の操作をすると、前記テレビジョン受信機が所定の画像を表示し、
前記リモートコントロール装置は、この所定の画像の所定の領域の光を受光し、前記ポインタの画面上での位置を算出して、この位置の情報を前記テレビジョン受信機に送信し、
前記テレビジョン受信機は、前記選択された表示部分の機能を実行する、
テレビジョン受信システムの制御方法において、
前記ポインタの画面上での位置の算出は、前記リモートコントロール装置で、選択を決定した旨の操作をした時から前記所定の画像の所定の領域の光を受光するまでの時間により垂直方向の位置を算出し、受光した光の強度により水平方向の位置を算出することを特徴とするテレビジョン受信システムの制御方法。
【請求項１７】
リモートコントロール装置によりテレビジョン受信機の画面上の所定の位置にレーザ光を照射し、
この照射されたレーザ光の画面上の位置をポインタとして、
このポインタにより画面上に表示された所定の画像の所望の表示部分を選択し、
前記リモートコントロール装置で、この選択を決定した旨の操作をすると、
該リモートコントロール装置は、前記レーザ光の照射を中止し、
前記テレビジョン受信機は、所定の画像を表示し、
前記リモートコントロール装置は、この所定の画像の所定の領域の光を受光し、前記ポインタの画面上での位置を算出して、この位置の情報を前記テレビジョン受信機に送信し、
前記テレビジョン受信機は、前記選択された表示部分の機能を実行する、
テレビジョン受信システムの制御方法において、
前記ポインタの画面上での位置の算出は、前記リモートコントロール装置で、選択を決定した旨の操作をした時から前記所定の画像の所定の領域の光を受光するまでの時間により垂直方向の位置を算出し、受光した光の強度により水平方向の位置を算出することを特徴とするテレビジョン受信システムの制御方法。
【請求項１８】
コンピュータが、
リモートコントロール装置に設けられたレーザ発光手段からレーザ光を照射させ、
テレビジョン受信機に所定の制御コマンドをコマンド送信手段から送信させ、
前記テレビジョン受信機の画面上の所定の領域からの光を受光手段に受光させ、
前記制御コマンドが送信されてから前記受光手段が光を受光するまでの時間を時間計測手段で計測させ、
前記受光手段が受光した光の強度を強度計測手段で計測させ、
該計測された時間および強度から前記テレビジョン受信機の画面上の所定の領域の位置を算出手段で算出させ、
該算出された所定の領域の位置を前記コマンド送信手段から送信させる、
ように制御する、リモートコントロール装置の制御プログラム。
【請求項１９】
コンピュータが、
リモートコントロール装置に設けられたレーザ発光手段からレーザ光を照射させ、
テレビジョン受信機に所定の制御コマンドをコマンド送信手段から送信させ、
該コマンドの送信と同時または送信の直後に前記レーザ光の照射を中止させ、
前記テレビジョン受信機の画面上の所定の領域からの光を受光手段に受光させ、
前記制御コマンドが送信されてから前記受光手段が光を受光するまでの時間を時間計測手段で計測させ、
前記受光手段が受光した光の強度を強度計測手段で計測させ、
該計測された時間および強度から前記テレビジョン受信機の画面上の所定の領域の位置を算出手段で算出させ、
該算出された所定の領域の位置を前記コマンド送信手段から送信させる、
ように制御することを特徴とするリモートコントロール装置の制御プログラム。
【請求項２０】
コンピュータが、
請求項１または請求項２に記載されたリモートコントロール装置からの所定のコマンドを受信手段で受信させ、
該コマンドに従って、所定の画面を画面表示手段から表示させ、
前記リモートコントロール装置からの位置情報を前記受信手段で受信させ、
該位置情報で示される画面上の位置に表示されている機能を機能特定手段で特定させ、
該特定された機能を実行手段で実行させる、
ように制御することを特徴とするテレビジョン受信機の制御プログラム。
【請求項２１】
コンピュータが、
請求項１または請求項２に記載されたリモートコントロール装置からの所定のコマンドを受信手段で受信させ、
該コマンドに従って、所定の画面を１フレーム期間または１フィールド期間のみ画面表示手段から表示させ、
前記リモートコントロール装置からの位置情報を前記受信手段で受信させ、
該位置情報で示される画面上の位置に表示されている機能を機能特定手段で特定させ、
該特定された機能を実行手段で実行させる、
ように制御することを特徴とするテレビジョン受信機の制御プログラム。
【請求項２２】
請求項２０または請求項２１に記載のテレビジョン受信機の制御プログラムにおいて、
前記所定の画面は、全画面白の画面であることを特徴とするテレビジョン受信機の制御プログラム。
【請求項２３】
請求項２０または請求項２１に記載のテレビジョン受信機の制御プログラムにおいて、
前記所定の画面は、ランプ波形の画面であることを特徴とするテレビジョン受信機の制御プログラム。
【請求項２４】
コンピュータが、
リモートコントロール装置に設けられたレーザ発光手段からレーザ光を照射し、
前記リモートコントロール装置からテレビジョン受信機に所定の制御コマンドをコマンド送信手段から送信させ、
テレビジョン受信機に前記コマンドに従って所定の画像を表示させ、
前記リモートコントロール装置に前記所定の画像の所定の領域の光を受光手段で受光させ、
前記リモートコントロール装置に前記制御コマンドが送信されてから前記受光手段が光を受光するまでの時間を時間計測手段で計測させ、
前記受光手段が受光した光の強度を強度計測手段で計測させ、
該計測された時間および強度から前記テレビジョン受信機の画面上の所定の領域の位置を算出手段で算出させ、
該算出された所定の領域の位置を前記コマンド送信手段から送信させ、
前記テレビジョン受信機に前記リモートコントロール装置から送信された位置情報を基に画面上の位置に表示されている機能を機能特定手段で特定させ、
該特定された機能を実行手段で実行させる、
ように制御することを特徴とするテレビジョン受信システムの制御プログラム。
【請求項２５】
コンピュータが、
リモートコントロール装置に設けられたレーザ発光手段からレーザ光を照射し、
前記リモートコントロール装置からテレビジョン受信機に所定の制御コマンドをコマンド送信手段から送信させ、
前記コマンドの送信と同時または直後にレーザ発光手段からのレーザ光の照射を中止させ、
テレビジョン受信機に前記コマンドに従って所定の画像を表示させ、
前記リモートコントロール装置に前記所定の画像の所定の領域の光を受光手段で受光させ、
前記リモートコントロール装置に前記制御コマンドが送信されてから前記受光手段が光を受光するまでの時間を時間計測手段で計測させ、
前記受光手段が受光した光の強度を強度計測手段で計測させ、
該計測された時間および強度から前記テレビジョン受信機の画面上の所定の領域の位置を算出手段で算出させ、
該算出された所定の領域の位置を前記コマンド送信手段から送信させ、
前記テレビジョン受信機に前記リモートコントロール装置から送信された位置情報を基に画面上の位置に表示されている機能を機能特定手段で特定させ、
該特定された機能を実行手段で実行させる、
ように制御することを特徴とするテレビジョン受信システムの制御プログラム。
【発明の詳細な説明】
【技術分野】
【０００１】
本発明は、テレビジョン受信機、または、テレビジョン受信機能を有したパーソナルコンピュータなどであって、特に、リモートコントロール装置によりその動作が操作される機器に好適に適用できるものである。
【背景技術】
【０００２】
近年、テレビジョン放送は、多チャンネル化が進み、また、放送形態も従来のアナログ方式の地上波放送、ＢＳ放送に加え、デジタル方式による地上波放送、ＢＳ放送、ＣＳ放送、更には、ＣＡＴＶによる放送など多彩な放送形態が実施されている。
【０００３】
このような多チャンネル化や放送形態の多様化に対応するため、近年のテレビジョン受信機では、リモートコントロール装置（以下、リモコンという）の操作も多様な操作ができるように工夫されている。
【０００４】
しかし、このような多様な操作に対応するため、リモコンには多くのボタンが配置され、時には、それらのボタンの組み合わせにより操作をすることが行われる。そのため、リモコンの操作が複雑になり、使用者にとっては使いづらいものとなっている。
【０００５】
従来、このような問題に対して、リモコンにジョイスティックやトラックボールを設け、画面上に表示されたポインタを操作する解決策が提案されている（特許文献１など）。
【特許文献１】特開平５−３３６３９７号公報
【発明の開示】
【発明が解決しようとする課題】
【０００６】
従来のジョイスティックやトラックボールを使用する方法では、ジョイスティックやトラックボールの操作になれるまで、使用者の意図通りに画面上に表示されたポインタを移動させることが難しいと言う問題がある。
【０００７】
即ち、使用者が意図した以上にポインタが移動してしまったり、或いは、自分が意図した方向とは異なる方向に移動してしまったりすることがある。特に、ポインタの位置を微調整しようとする場合は、このようなことが起こりやすくなる。
【０００８】
また、画面上に表示されたポインタの視認性が悪く、使用者がテレビジョン受信機から離れた場所で操作をしにくいという問題もある。
【課題を解決するための手段】
【０００９】
本発明は、上記のような課題を鑑み、かかる課題を解決するため、以下のような手段を講じたものである。
【００１４】
即ち、本発明にかかるリモートコントロール装置は、テレビジョン受信機の画面上の所定の位置にレーザ光を照射するレーザ発光手段と、前記レーザ光の照射位置の近傍の所定の領域からの光を受光する受光手段と、各種制御コマンドを送信するコマンド送信手段と、前記コマンド送信手段に所定のコマンドの送信を指示する操作手段と、前記操作手段が操作されてから前記受光手段が所定の領域からの光を受光するまでの時間を計測する時間計測手段と、前記受光手段が所定の領域からの光を受光した際の受光強度を計測する強度計測手段と、該計測された時間から前記所定の位置の垂直方向の位置を算出し、該計測された受光強度から前記所定の位置の水平方向の位置を算出する算出手段と、を具備し、該算出された所定の位置を前記コマンド送信手段からテレビジョン受信機に送信するようにしても良い。
【００１５】
かかる構成により、リモートコントロール装置の操作ボタンを削減し、操作を簡単にすることができ、フラットパネルディスプレイなどラスタースキャンを行なわない表示装置にも対応することができる。
【００１６】
かかる構成においても、前記操作手段が操作された後、前記レーザ発光手段からのレーザ光の照射を中止する消光手段を設けることが好ましい。これにより、レーザ光の照射の消し忘れを防止することができ、また、前記受光手段での受光精度を高めることができる。
【００１７】
本発明にかかるテレビジョン受信機は、上記の何れかに記載されたリモートコントロール装置からの所定のコマンドを受信する受信手段と、該コマンドに従って、所定の画面を表示する画面表示手段と、前記リモートコントロール装置からの位置情報を前記受信手段で受信した後、その位置情報で示される画面上の位置に表示されている機能を特定する機能特定手段と、該特定された機能を実行する実行手段と、を具備することを特徴とするものである。
【００１８】
ここで、本発明にかかるテレビジョン受信機は、前記所定の画面を１フレーム期間または１フィールド期間のみ表示することが好ましい。
【００１９】
これにより、前記所定の画面が使用者に認知されることがなくなり、使用者に違和感を感じさせることが無い。
【００２０】
尚、本発明にかかるテレビジョン受信機における、前記所定の画面は、全画面白の画面またはランプ波形の画面であることが好ましい。
【００２１】
ランプ波形とすることで、フラットパネルディスプレイなどラスタースキャンを行なわない表示装置にも対応することができる。
【００２４】
また、本発明にかかるテレビジョン受信システムは、テレビジョン受信機の画面上の所定の位置にレーザ光を照射するレーザ発光手段と、前記レーザ光の照射位置の近傍の所定の領域からの光を受光する受光手段と、各種制御コマンドを送信するコマンド送信手段と、前記コマンド送信手段に所定のコマンドの送信を指示する操作手段と、前記操作手段が操作されてから前記受光手段が所定の領域からの光を受光するまでの時間を計測する時間計測手段と、前記受光手段が所定の領域からの光を受光した際の受光強度を計測する強度計測手段と、該計測された時間から前記所定の位置の垂直方向の位置を算出し、該計測された受光強度から前記所定の位置の水平方向の位置を算出する算出手段と、を具備し、該算出された所定の位置を前記コマンド送信手段からテレビジョン受信機に送信するリモートコントロール装置と、該リモートコントロール装置からの所定のコマンドを受信する受信手段と、該コマンドに従って、所定の画面を表示する画面表示手段と、前記リモートコントロール装置からの位置情報を前記受信手段で受信した後、その位置情報で示される画面上の位置に表示されている機能を特定する機能特定手段と、該特定された機能を実行する実行手段と、を具備するテレビジョン受信機と、から構成されることを特徴とするようにしても良い。
【００２５】
かかる構成においても、本発明にかかるテレビジョン受信システムでは、前記操作手段が操作された後、前記レーザ発光手段からのレーザ光の照射を中止する消光手段を設けることが好ましい。
【００２６】
また、本発明にかかるテレビジョン受信システムでは、前記所定の画面は、１フレーム期間または１フィールド期間のみ表示されることが好ましい。
【００２９】
また、本発明にかかるリモートコントロール装置の制御方法は、テレビジョン受信機の画面上の所定の位置にレーザ光を照射し、前記レーザ光の照射位置の近傍の所定の領域からの光を受光し、前記テレビジョン受信機に所定のコマンドを送信し、前記コマンドの送信時から前記受光手段が所定の領域からの光を受光するまでの時間および受光した光の強度を計測し、該計測された時間から垂直方向の位置を算出し、該計測された強度から水平方向の位置を算出し、該算出された所定の位置をテレビジョン受信機に送信することを特徴とするものである。
【００３０】
ここでも、本発明にかかるリモートコントロール装置の制御方法では、前記コマンドの送信と同時または送信の直後に前記レーザ光の照射を中止することが好ましい。
【００３１】
本発明にかかるテレビジョン受信機の制御方法は、上記の何れかに記載されたリモートコントロール装置からの所定のコマンドに従って、所定の画面を表示し、前記リモートコントロール装置からの位置情報から画面上の位置に表示されている機能を特定し、該特定された機能を実行する、ことを特徴とするものである。
【００３２】
ここで、本発明にかかるテレビジョン受信機の制御方法では、前記所定の画面は、１フレーム期間または１フィールド期間のみ表示されることが好ましい。
【００３３】
また、本発明にかかるテレビジョン受信機の制御方法では、前記所定の画面は、全画面白の画面またはランプ波形の画面であることが好ましい。
【００３４】
本発明にかかるテレビジョン受信システムの制御方法は、リモートコントロール装置によりテレビジョン受信機の画面上の所定の位置にレーザ光を照射し、この照射されたレーザ光の画面上の位置をポインタとして、このポインタにより画面上に表示された所定の画像の所望の表示部分を選択し、前記リモートコントロール装置で、この選択を決定した旨の操作をすると、前記テレビジョン受信機が所定の画像を表示し、前記リモートコントロール装置は、この所定の画像の所定の領域の光を受光し、前記ポインタの画面上での位置を算出して、この位置の情報を前記テレビジョン受信機に送信し、前記テレビジョン受信機は、前記選択された表示部分の機能を実行する、ことを特徴とするものであり、本発明にかかるテレビジョン受信システムの制御方法では、前記ポインタの画面上での位置の算出は、前記リモートコントロール装置で、選択を決定した旨の操作をした時から前記所定の画像の所定の領域の光を受光するまでの時間により垂直方向の位置を算出し、受光した光の強度により水平方向の位置を算出することを特徴とするものである。
【００３５】
加えて、本発明にかかるテレビジョン受信システムの制御方法では、前記リモートコントロール装置で、前記選択を決定した旨の操作をすると、該リモートコントロール装置は、前記レーザ光の照射を中止することが好ましい。
【００４０】
また、本発明にかかるリモートコントロール装置の制御プログラムは、コンピュータが、リモートコントロール装置に設けられたレーザ発光手段からレーザ光を照射させ、テレビジョン受信機に所定の制御コマンドをコマンド送信手段から送信させ、前記テレビジョン受信機の画面上の所定の領域からの光を受光手段に受光させ、前記制御コマンドが送信されてから前記受光手段が光を受光するまでの時間を時間計測手段で計測させ、前記受光手段が受光した光の強度を強度計測手段で計測させ、該計測された時間および強度から前記テレビジョン受信機の画面上の所定の領域の位置を算出手段で算出させ、該算出された所定の領域の位置を前記コマンド送信手段から送信させる、ように制御することを特徴とするものである。
【００４１】
ここでも、本発明にかかるリモートコントロール装置の制御プログラムでは、前記コマンドの送信と同時または送信の直後に前記レーザ光の照射を中止させることが好ましい。
【００４２】
本発明にかかるテレビジョン受信機の制御プログラムは、コンピュータが、上記の何れかに記載されたリモートコントロール装置からの所定のコマンドを受信手段で受信させ、該コマンドに従って、所定の画面を画面表示手段から表示させ、前記リモートコントロール装置からの位置情報を前記受信手段で受信させ、該位置情報で示される画面上の位置に表示されている機能を機能特定手段で特定させ、該特定された機能を実行手段で実行させる、ように制御することを特徴とするものである。
【００４３】
ここで、本発明にかかるテレビジョン受信機の制御プログラムでは、前記所定の画面を１フレーム期間または１フィールド期間のみ画面表示手段から表示させることが好ましい。
【００４４】
また、本発明にかかるテレビジョン受信機の制御プログラムでは、前記所定の画面は、全画面白の画面またはランプ波形の画面であることが好ましい。
【００４７】
また、本発明にかかるテレビジョン受信システムの制御プログラムは、コンピュータが、リモートコントロール装置に設けられたレーザ発光手段からレーザ光を照射し、前記リモートコントロール装置からテレビジョン受信機に所定の制御コマンドをコマンド送信手段から送信させ、テレビジョン受信機に前記コマンドに従って所定の画像を表示させ、前記リモートコントロール装置に前記所定の画像の所定の領域の光を受光手段で受光させ、前記リモートコントロール装置に前記制御コマンドが送信されてから前記受光手段が光を受光するまでの時間を時間計測手段で計測させ、前記受光手段が受光した光の強度を強度計測手段で計測させ、該計測された時間および強度から前記テレビジョン受信機の画面上の所定の領域の位置を算出手段で算出させ、該算出された所定の領域の位置を前記コマンド送信手段から送信させ、前記テレビジョン受信機に前記リモートコントロール装置から送信された位置情報を基に画面上の位置に表示されている機能を機能特定手段で特定させ、該特定された機能を実行手段で実行させる、ように制御することを特徴とするものである。
【００４８】
ここでも、本発明にかかるテレビジョン受信システムの制御プログラムでは、前記コマンドの送信と同時または直後にレーザ発光手段からのレーザ光の照射を中止させることが好ましい。
【発明の効果】
【００４９】
本発明により、リモコンの構成が簡略化され、テレビジョン受信機のリモコンによる操作が容易になる。
【００５０】
また、ポインタで指し示すことで操作を行うため、複雑な操作手順を覚えることなく、直感的で分かりやすい操作をすることが可能となる。
【００５１】
加えて、画面上へのポインタの表示をレーザ光による照射で実現しているため、明るい部屋やテレビジョン受信機から離れた場所からでも視認性を高めることができる。
【発明を実施するための最良の形態】
【００５２】
図１、図２は、本発明にかかるテレビジョン受信機をリモコンで操作する際の概念図である。
【００５３】
図１、図２において、１０１はテレビジョン受信機の画面（以下、テレビ画面という）であり、１０２はリモコンであり、１０３はリモコンから照射されたレーザ光であり、１０４はテレビ画面上に照射されたレーザ光の点（以下、ポインタという）である。また、図１の１０５はテレビ画面上に表示された電子番組表（以下、ＥＰＧという）であり、図２の２０５の数字部分はテレビ画面上に表示されたチャンネル選択表示であり、２０５のその他の部分は、各種の機能操作選択表示である。
【００５４】
図１では、テレビ画面上にＥＰＧが表示されている。即ち、同図の横方向の「１０:００、１１：００、１２：００」は時間を表し、縦方向の「ＣＨ１０１、ＣＨ１１１」などはチャンネル番号を表し、「ＡＡＡ、ＡＢＣ」などは、その時間、そのチャンネルで放送されている番組名を表している。図１は、このようなＥＰＧがテレビ画面上に表示されているところへ、リモコンからのレーザ光を照射している状態を示している。
【００５５】
同様に図２は、テレビ画面上にチャンネル選択表示や各種機能選択表示を表示しているところへ、リモコンからのレーザ光を照射している状態を示している。
【００５６】
本発明では、そのレーザ光の照射されたテレビ画面上の点をポインタとして、このポインタで選択された機能をテレビジョン受信機が実行する。
【００５７】
このように、リモコンから照射されたレーザ光で使用者の希望する機能を選択することで、リモコン自体の各種操作ボタンを減少させ、また、リモコンの操作を容易にすることができる。
【００５８】
このような本発明を実施するためのリモコン及びテレビジョン受信機の最良の形態について以下に説明する。
【００５９】
まず、リモコンについて説明する。
【００６０】
図３は、本発明にかかるリモコンの外観図であり、図４は、構成ブロック図である。
【００６１】
図３、図４において、３０１はレーザ光を照射するレーザ発光部、３０２は所定の領域からの外光を受光する受光部、３０３はリモコンからの各種の制御信号（以下、リモコンコマンドという）などをテレビジョン受信機に送信する赤外光発光部である。図３において、３０４はレーザ発光部３０１からレーザ光を照射させ、または、レーザ光の照射を中止させるレーザ発光／消光ボタンであり、３０５はレーザ光によるポインタで選択されたテレビ画面上の機能の選択を決定する決定ボタンであり、３０６はテレビジョン受信機の電源を入／切する電源ボタンであり、３０７はテレビ画面上に所定の機能表示を表示させ、または、消すためのメニュー表示／非表示ボタンである。
【００６２】
ここで、「所定の機能表示」とは、例えば、ＥＰＧやチャンネル選択表示や各種の設定表示（コントラスト、色相、音量など）であり、以下メニュー表示という。
【００６３】
また、図４において、４０１は制御部であり、４０１ａは制御部４０１を構成するＣＰＵであり、４０１ｂは制御部４０１を構成するメモリであり、４０２は図３のレーザ発光／消光ボタン３０４や電源ボタン３０６などからの使用者のボタン操作を入力する入力部である。
【００６４】
図３、図４において、テレビ画面上にメニュー表示が表示されていない状態から、メニュー表示／非表示ボタンが操作されると、テレビ画面上にメニュー表示が表示される。
【００６５】
次に、レーザ光が照射されていない状態からレーザ発光／消光ボタン３０４が操作されると、レーザ発光部３０１からレーザ光が照射される。
【００６６】
このレーザ光をテレビ画面上のメニュー表示の所望の位置に照射させ、決定ボタン３０５を操作すると、テレビ画面上に後述する位置測定画面が表示される。
【００６７】
この位置測定画面を受光部３０２で受光し、この受光した光を基に制御部４０１でレーザ光によるポインタのテレビ画面上の位置を測定する。
【００６８】
この測定された、テレビ画面上のポインタの位置情報は、赤外光発光部３０３からテレビジョン受信機に送信される。
【００６９】
テレビジョン受信機では、この位置情報を基に、ポインタで選択されたところのテレビ画面上に表示された機能を特定し、この機能を実行する。
【００７０】
ここで、制御部４０１でポインタのテレビ画面上の位置を測定する方法については、詳細は後述するが、後述の実施形態１の場合は、前記決定ボタン３０５が操作された時点を規準とし、前記位置測定画面を受光部３０２で受光するまでの時間を制御部４０１内の時間測定手段（図４での記載は省略している）で測定し、その測定結果から算出している。
【００７１】
また、後述の実施形態２の場合は、前記決定ボタン３０５が操作された時点を規準とし、前記位置測定画面を受光部３０２で受光するまでの時間を制御部４０１内の時間測定手段で測定し、加えて、受光部３０２で受光した光の強度を制御部４０１内の強度測定手段（図４での記載は省略している）で測定し、これらの測定結果から算出している。
【００７２】
尚、上記の位置測定画面は、１フレーム期間または１フィールド期間のみ表示されるものである。そのため、この位置測定画面が表示されたことは使用者に認知されることは無く、位置測定画面の表示により使用者に違和感を感じさせることは無い。
【００７３】
次に、テレビジョン受信機について、表示装置がＣＲＴ（ブラウン管）の場合とフラットパネルディスプレイ（液晶パネルなど）の場合とに分けて説明する。
（１）実施形態１（表示装置がＣＲＴの場合）
図５は、本実施形態におけるテレビジョン受信機の構成ブロック図である。
【００７４】
図５において、５０１はテレビジョン放送を受信するアンテナであり、５０２は受信したテレビジョン信号を復調するチューナであり、５０３は復調されたテレビジョン信号の映像信号及び音声信号を処理する映像／音声処理部であり、５０４は音量を調整するオーディオアンプであり、５０５はスピーカである。ここで、デジタル放送の場合は、映像／音声処理部５０３は、誤り訂正処理部、デマルチプレクサ部、ＭＰＥＧ復号部などで構成される。
【００７５】
また、５０６はリモコンから送信されたリモコンコードを受信するリモコン受信部であり、５０７は表示装置としてのＣＲＴであり、５０８はＣＲＴ５０７のラスタースキャン走査を制御するドライブ回路である。
【００７６】
更に、５０９はテレビジョン受信機の動作の制御をする制御部である。制御部５０９は、ＣＰＵ５０９ａ、メモリ５０９ｂに加え、リモコンから送信された位置情報を処理する位置情報処理部５０９ｃ、テレビ画面上にメニュー表示を表示するメニュー表示処理部５０９ｄ、位置測定画面を表示する位置測定画面処理部５０９ｅなどから構成される。
【００７７】
図５において、アンテナ５０１で受信されたテレビジョン放送波は、チューナ５０２で所定のチャンネルが選局される。選局されたチャンネルは、映像／音声処理部５０３で復号、復調などの処理をされる。音声信号は、オーディオアンプ５０４で音量を調整されスピーカ５０５から出力される。一方、映像信号は、ドライブ回路５０８に入力されて、ドライブ回路５０８の制御によりＣＲＴ５０７にラスタースキャンされ映像として表示される。
【００７８】
リモコンから送信されたリモコンコマンドは、リモコン受信部５０６で受信される。制御部５０９では、受信されたリモコンコマンドに従って、各種制御を行なう。
【００７９】
具体的には、メニュー表示のリモコンコマンドを受けると、メニュー表示処理部５０９ｄがテレビ画面にメニュー表示をする制御を行なう。また、位置測定画面を表示させるリモコンコマンドを受けると、位置測定画面処理部５０９ｅが後述する位置測定画面を表示する制御を行なう。また、ポインタの位置情報を受けると、位置情報処理部５０９ｃがメニュー表示処理部５０９ｄからの情報を基に画面上のどこにどのような機能を表すメニューが表示されているかを特定し、その特定された機能を実行するように制御する。
【００８０】
ここで、本実施形態におけるテレビ画面上に照射されたレーザ光によるポインタのテレビ画面上での位置を測定する方法について説明する。
【００８１】
テレビ画面上に照射されたレーザ光によるポインタの位置を測定する方法としては、特開平８−１１７４４７号公報等で開示された方法が応用できる。
【００８２】
かかる公報に開示された方法によれば、トリガーと同時に位置測定用の全面「１００％白」となるホワイト画面のラスター走査が開始される。
【００８３】
受光部は、その受光領域をレーザ光によるポインタ（上記公報での「銃で狙いを定めた位置」に相当する）の近傍に設定し、そのラスター走査の光を検知し、ポインタの位置情報として算出する。具体的な算出方法は上記公報に記載されているが、その原理を説明すれば以下のようになる。
【００８４】
即ち、一水平期間を“ｈ[sec]”とし、トリガーの瞬間を“０[sec]”として受光部でラスター走査の光を検出するまでの時間を“ｔ[sec]”とすると、
ｔ＝ｈ＊ｐ＋ｑ・・・・・（式１）
となる。ここで、“ｐ”は任意の整数であり、“ｑ”は任意の自然数である。
【００８５】
テレビ画面の垂直方向の長さを“ＨＹ[m]”とし、１フィールド（またはフレーム）の走査線数を“Ｓ[本]”とすると、走査線間の距離“Ｄ[m]”は、
Ｄ＝ＨＹ／Ｓ・・・・・（式２）
となる。ここで、前記“ｐ”はラスター走査の始点からポインタまでの走査線の数を表すから、ポインタの垂直位置を“ｙ１”とすると、
ｙ１＝ｐ＊Ｄ・・・・・（式３）
となる。
【００８６】
同様に、テレビ画面の水平方向の長さを“ＨＸ”とし、ポインタの水平位置を“ｘ１”とすると、
ｘ１＝（ｑ／ｈ）＊ＨＸ・・・・・（式４）
となる。
【００８７】
上式よりポインタの水平、垂直位置（ｘ１、ｙ１）を算出することができる。
【００８８】
この様子を図６に示す。
【００８９】
同図では、テレビ画面左上のラスター走査の始点を“０”として、右方向にｘ軸、下方向にｙ軸を取っている。また、６０１は受光部の受光領域を示している。ここでは、説明を簡単にするため受光領域とポインタの位置は一致させている。つまり、受光領域の座標（ｘ１、ｙ１）をポインタの座標としている。
【００９０】
次に、本実施形態における動作について説明する。
【００９１】
図７は、本実施形態における動作手順を示したフローチャートである。
【００９２】
同図を参照して、まず、使用者は、テレビ画面上にメニュー画面を表示させるべく、リモコンのメニュー表示ボタンを操作する（ステップＳ１）。
【００９３】
そうすると、テレビジョン受信機に対して、リモコンの赤外光発光部からメニューを表示させるリモコンコマンドが送信される（ステップＳ２）。
【００９４】
このリモコンコマンドを受信したテレビジョン受信機は（ステップＳ３）、そのコマンドに従って、テレビ画面上にメニュー表示を表示する（ステップＳ４）。
【００９５】
使用者は、リモコンのレーザ発光ボタンを操作して、レーザ光を発光させ（ステップＳ５）、テレビジョン受信機に表示されたメニュー表示の中の所望の機能が表示された位置にレーザ光を照射する（ステップＳ６）。
【００９６】
使用者が、所望の機能が決まった段階で、リモコンの決定ボタンを操作する（ステップＳ７）と、テレビジョン受信機に対して、位置測定画面を表示させるコマンドを送信する（ステップＳ８）。
【００９７】
このリモコンコマンドを受信したテレビジョン受信機は（ステップＳ９）、位置測定画面を表示する（ステップＳ１０）。
【００９８】
リモコンでは、受光部で位置測定画面      の光を受光し（ステップＳ１１）、制御部でテレビ画面上のレーザ光のポインタの位置を計算する（ステップＳ１２）。（厳密には、「ポインタの位置」ではなく、ポインタの位置の近傍に設けられた受光部の「受光領域の位置」である。）
この計算されたレーザ光のポインタの位置情報は、テレビジョン受信機に対して、リモコンの赤外光発光部からリモコンコマンドとして送信される（ステップＳ１３）。
【００９９】
このリモコンコマンドを受信したテレビジョン受信機は（ステップＳ１４）、その位置情報からテレビ画面上に表示されたメニュー表示の機能を特定し（ステップＳ１５）、その特定された機能を実行する（ステップＳ１６）。
【０１００】
また、図８のような動作手順としても良い。
【０１０１】
図８は、図７の手順に、テレビジョン受信機に対して、位置測定画面を表示させるコマンドを送信（ステップＳ８）した後、レーザ光の発光を中止する手順（ステップＳ８の２）を加えたものである。
【０１０２】
受光部の受光領域の近くにレーザ光によるポインタが照射される。そのため、位置測定をする際に位置測定画面からの光以外にポインタの光があることになる。
【０１０３】
位置測定画面の光を受光する際に、レーザ光の発光を中止することでポインタの光が消され、受光部での光の受光精度を向上させることができる。ここで、ポインタが消されても操作を決定（ステップＳ７）した後であるので、使用者に不便は無い。
【０１０４】
また、リモコンの決定ボタンを操作（ステップＳ７）することで、レーザ光の発光が中止するため、別途使用者がレーザ光の発光を中止させる操作が不要となり、レーザ光の消し忘れなどを防止することができる。
（２）実施形態２（表示装置が液晶パネルなどの場合）
図９は、本実施形態におけるテレビジョン受信機の構成ブロック図である。同図において、図５と同じ構成要素には同じ符号を付し、説明は省略する。
【０１０５】
図９において、９０７は表示装置としての液晶パネル（以下、ＬＣＤパネルという）であり、９０８は、ＬＣＤパネル９０７を制御するドライバコントローラであり、９１０はドライバコントローラ９０８で制御されるソースドライバであり、９１１はドライバコントローラ９０８で制御されるゲートドライバである。
【０１０６】
ＬＣＤパネルの場合、ＣＲＴと異なり、ラスタースキャンによる映像表示は行なわれない。
【０１０７】
ＬＣＤパネル９０７では、１走査線分の信号がソースドライバ９１０に蓄積され、ゲートドライバ９１１の制御により１走査線分の信号が一度にＬＣＤパネルに転送される。
【０１０８】
そのため、前述の特開平８−１１７４４７号公報等で開示された方法では、垂直方向の位置測定はできるが、水平方向の位置測定ができない。
【０１０９】
よって、本実施形態では、ポインタの位置測定を以下のような方法で行なう。
【０１１０】
実施形態１では位置測定用の画面として全面「１００％白」のホワイト画面を使用していた。本実施形態では、このホワイト画面に代え、所謂「ランプ波形」の画面を使用する。
【０１１１】
この「ランプ波形」を図１０に示す。
【０１１２】
図１０では、例として、テレビ画面の左端（即ち、ＬＣＤパネルの左端）を“１００％”の輝度レベルとし、テレビ画面の右へ進むほどリニアに輝度レベルが下がり、テレビ画面の右端（即ち、ＬＣＤパネルの右端）では“２５％”の輝度レベルとしている。（逆に、テレビ画面の左へ進むほどリニアに輝度レベルが下がるランプ波形にしても良いし、また、必ずしも１００％、２５％の輝度レベルである必要もない。）
位置測定用の画面としてこのようなランプ波形を用いると、ポインタの水平位置は輝度レベルの違いにより算出することができる。
【０１１３】
つまり、ＬＣＤパネルの水平方向の長さを“ＨＸ”とし、ＬＣＤパネル左端の輝度レベルを“Ａ１”とし、ＬＣＤパネル右端の輝度レベルを“Ａ０”とすると、ランプ波形の輝度レベル“ＡＭＰ”は、
ＡＭＰ＝（（Ａ０−Ａ１）／ＨＸ）・Ｘ＋Ａ１・・・・・（式５）
となる。
【０１１４】
従って、輝度レベルが“Ａｘ１”のときの、水平方向の位置“ｘ１”は、
ｘ１＝（Ａｘ１−Ａ１）／（（Ａ０−Ａ１）／ＨＸ）・・・・・（式６）
となる。
【０１１５】
尚、ＬＣＤパネル右端での輝度レベルを“０％”としていないのは、“０％”にするとリモコンの受光部で位置測定用の画面からの光を検出できなくなるからである。
【０１１６】
以上より、本実施形態でのポインタの位置検出の方法は、垂直方向の位置については、実施形態１と同様に、リモコンに設けられた受光部により位置測定用の画面からの光を検出するまでの時間から算出し、水平方向の位置については、位置測定用の画面からの光が検出された際の、その光の強度（輝度レベル）から算出する。
【０１１７】
本実施形態での動作手順は、図７、図８に示した手順と同様である。
【図面の簡単な説明】
【０１１８】
【図１】本発明の第１の概念図である。
【図２】本発明の第２の概念図である。
【図３】本発明にかかるリモートコントロール装置の外観図である。
【図４】本発明にかかるリモートコントロール装置の構成ブロック図である。
【図５】本発明の実施形態１にかかるテレビジョン受信機の構成ブロック図である。
【図６】本発明での第１の位置測定方法の説明図である。
【図７】本発明での第１の動作フローチャートである。
【図８】本発明での第２の動作フローチャートである。
【図９】本発明の実施形態２にかかるテレビジョン受信機の構成ブロック図である。
【図１０】本発明での第２の位置測定方法の説明図である。
【符号の説明】
【０１１９】
１０１  テレビジョン受信機の画面
１０２  リモートコントロール装置
１０３  リモートコントロール装置から照射されたレーザ光
１０４  テレビジョン受信機の画面上に照射されたレーザ光によるポインタ
１０５  ＥＰＧ画面
２０５  メニュー画面
３０１  レーザ発光部
３０２  受光部
３０３  赤外光発光部
３０４  レーザ発光／消光ボタン
３０５  操作決定ボタン
３０６  テレビジョン受信機の電源入／切ボタン
３０７  メニュー表示／非表示ボタン
４０１  リモコン制御部
４０１ａ  リモコン制御部のＣＰＵ
４０１ｂ  リモコン制御部のメモリ
４０２  入力部
５０１  テレビジョン放送受信アンテナ
５０２  チューナ
５０３  映像／音声処理部
５０４  オーディオアンプ
５０５  スピーカ
５０６  リモコン受光部
５０７  表示部（ＣＲＴ）
５０８  ドライブ回路
５０９  テレビジョン受信機制御部
５０９ａ  テレビジョン受信機制御部のＣＰＵ
５０９ｂ  テレビジョン受信機制御部のメモリ
５０９ｃ  テレビジョン受信機制御部の位置情報処理部
５０９ｄ  テレビジョン受信機制御部のメニュー表示処理部
５０９ｅ  テレビジョン受信機制御部位置測定画面処理部
６０１  受光領域
９０７  表示部（液晶パネル）
９０８  ドライバコントローラ
９１０  ソースドライバ
９１１  ゲートドライバ
【図１】
0004628282.tif 000002
【図２】
0004628282.tif 000003
【図３】
0004628282.tif 000004
【図４】
0004628282.tif 000005
【図５】
0004628282.tif 000006
【図６】
0004628282.tif 000007
【図７】
0004628282.tif 000008
【図８】
0004628282.tif 000009
【図９】
0004628282.tif 000010
【図１０】
0004628282.tif 000011